(57)【要約】【課題】製造コスト低下や省スペース化を図るとともに、導光体を安定的かつ確実な位置に取り付けることが可能な車両用ライニングを提供する。【解決手段】車両用ドアの車室側に設けられ、車室内を照明することが可能な車両用ドアライニング１であって、ベーストリム２と、このベーストリム２の車室側の表面のうち一部を被覆するパネルトリム３と、ＬＥＤユニット１１と、ＬＥＤユニット１１からの光を周囲に配光する長尺状の導光体１２と、を備え、ベーストリム２とパネルトリム３との間には、パネルトリム３の側端３ａの少なくとも一部の領域に沿って間隙Ｎが設けられ、ベーストリム２のうち少なくともパネルトリム３に被覆された領域には、間隙Ｎに沿った収容溝２１と係合爪２２とが一体に形成され、導光体１２は、間隙Ｎに臨むように収容溝２１内に収容されるとともに、係合爪２２に係合され収容溝２１内に保持されている。【選択図】図７
2008143425.tif 000002
【特許請求の範囲】
【請求項１】
車両の車室側に設けられ、該車室内を照明することが可能な車両用ライニングであって、
ベーストリムと、
該ベーストリムの前記車室側の表面のうち一部を被覆するパネルトリムと、
光源と、
該光源からの光を導光して周囲に配光する長尺状の導光体と、を備え、
前記ベーストリムと前記パネルトリムとの間には、前記パネルトリムの側端の少なくとも一部の領域に沿って間隙が設けられ、
前記ベーストリムのうち少なくとも前記パネルトリムに被覆された領域には、前記間隙に沿った収容溝と、該収容溝に収容された前記導光体と係合して前記導光体を前記収容溝内に保持するための係合爪と、が一体に形成され、
前記導光体は、前記間隙に臨むように前記収容溝内に収容されるとともに、前記係合爪に係合され前記収容溝内に保持されてなることを特徴とする車両用ライニング。
【請求項２】
前記係合爪は、前記収容溝を構成する側壁の一部に立設され、前記収容溝側に向けて膨出した形状を有していることを特徴とする請求項１に記載の車両用ライニング。
【請求項３】
前記係合爪は、前記導光体と前記間隙との間を遮蔽しない位置に配設されていることを特徴とする請求項１又は２に記載の車両用ライニング。
【請求項４】
前記係合爪は、前記収容溝の長手方向に沿った複数箇所に設けられていることを特徴とする請求項１〜３のいずれか１項に記載の車両用ライニング。
【請求項５】
前記収容溝には、前記ベーストリムのうち前記表面とは反対側から前記係合爪を視認可能な開口が形成されていることを特徴とする請求項１〜４のいずれか１項に記載の車両用ライニング。
【請求項６】
前記パネルトリムのうち前記側端は、その水平位置が前記導光体の上端面の高さ位置よりも上方にあることを特徴とする請求項１〜５のいずれか１項に記載の車両用ライニング。
【請求項７】
前記パネルトリムのうち前記側端は、前記ベーストリムの前記表面側に向けて屈曲していることを特徴とする請求項１〜６のいずれか１項に記載の車両用ライニング。
【請求項８】
前記車両用ライニングは、車両用ドアの車室側に設けられる車両用ドアライニングであることを特徴とする請求項１〜７のいずれか１項に記載の車両用ライニング。
【発明の詳細な説明】
【技術分野】
【０００１】
本発明は車両用ライニングに係り、特に、照明装置により照明を行うことが可能な車両用ライニングに関する。
【背景技術】
【０００２】
例えば、車両用のドアにおいて、ドアを構成する基材の表面をドアライニングで被覆して装飾性を高める技術が知られている。さらに、近年では、夜間等においてドアノブやウィンドウ昇降スイッチを照明したり、ドアライニングの装飾効果をより高めたりするために、ドアライニングに加飾照明装置が設けられるようになっている。
【０００３】
例えば、主として車室内の照明や意匠性向上を目的として、長手方向に延びる長尺状の照明部材をドアトリムに取り付けた例が知られている（例えば、特許文献１参照）。
この従来例では、車室内の内装表面を構成するドアトリムとこれに隣接するアームレストとの間にできる合わせ部に内部空間が形成されるとともに、長手方向に延びる開口部が形成されている。そして、長尺の照明部材は、この開口部に臨むようにして合わせ部の内部空間内に配設されている。この照明部材は、一端がドアトリムに固着された固定用クランプ部材の他端に狭着されており、開口部に沿って長手方向に延びている。
このような構成を備えることで、開口部を通じて照明部材からの光をドアに向けて出射することが可能となり、照明部材が外部に露出することによる見栄えの悪化や、照明部材を外部に配設することによる居住性の悪化を防止することが可能となる。
【０００４】
【特許文献１】特開２０００−１４２２１８号公報（請求項１、段落００２１〜００２４、図１）
【発明の開示】
【発明が解決しようとする課題】
【０００５】
この従来の技術では、照明部材を固定するために固定用クランプが必須となっている。そして、固定用クランプの一端をドアトリムに固着し、他端で照明部材を狭圧保持することで、照明部材がドアトリムに対して間接的に固定されている。
このように、照明部材の固定用に特別な部材が必要となるため、部品点数が増加し、製造コストが上昇する不都合があった。また、照明部材をドアトリムに固定する際に固定用の部材を取り付けるための工程が必要となり、照明部材の取付けに時間がかかるという不都合があった。
また、固定用の部材を取り付けるためにある程度のスペースを確保する必要があり、このため照明部材を含むドアライニングの省スペース化を図る際の妨げとなっていた。
さらに、照明部材が固定用クランプに狭着されているため、照明部材を合わせ部内に配設した後にスライドさせることが困難となっている。このため、照明部材を正確な位置に移動させる位置出し作業を照明部材の配設後に行うことは困難となっていた。
【０００６】
また、従来では、ドアトリムとアームレストとの合わせ部に形成される内部空間に長尺の照明部材を配設していたため、ドアトリムとアームレストとの間で位置ずれが生じると、内部空間に配設された照明部材が外部に露出したり、内部空間から外へ突出したりする不都合があった。
【０００７】
本発明の目的は、部品点数を低減して製造コストの低下や省スペース化を図るとともに、照明装置を安定的かつ確実な位置に取り付けることが可能な車両用ライニングを提供することにある。
【課題を解決するための手段】
【０００８】
上記課題は、本発明の車両用ライニングによれば、車両の車室側に設けられ、該車室内を照明することが可能な車両用ライニングであって、ベーストリムと、該ベーストリムの前記車室側の表面のうち一部を被覆するパネルトリムと、光源と、該光源からの光を導光して周囲に配光する長尺状の導光体と、を備え、前記ベーストリムと前記パネルトリムとの間には、前記パネルトリムの側端の少なくとも一部の領域に沿って間隙が設けられ、前記ベーストリムのうち少なくとも前記パネルトリムに被覆された領域には、前記間隙に沿った収容溝と、該収容溝に収容された前記導光体と係合して前記導光体を前記収容溝内に保持するための係合爪と、が一体に形成され、前記導光体は、前記間隙に臨むように前記収容溝内に収容されるとともに、前記係合爪に係合され前記収容溝内に保持されることにより解決される。
【０００９】
本発明の車両用ライニングによれば、導光体を収容するための収容溝と、この収容溝内に導光体を係合するための係合爪がベーストリムに一体に設けられており、収容溝内に導光体を確実に収容し、かつ、容易には収容溝から脱落しにくい構造となっている。
このように、導光体をベーストリムに直接取り付けることが可能となっているため、導光体を固定するための特別な固定用部品が不要となる。また、固定用部品が不要となることで、固定用部品を設置するためのスペースが不要となる。
また、従来のように２つのトリムの合わせ部に収容するのではなく、本発明では、車両用ライニングを構成するベーストリムとパネルトリムのうち、ベーストリム側のみに導光体を取り付ける構造となっている。このため、２つのトリムの位置ずれ等を原因とする導光体の脱落や露出等が生じにくくなっている。
さらに、収容溝内の導光体が係合爪により係合されているため、導光体を収容溝に入れ込んで収容溝の長手方向に沿ってスライドさせることで、収容溝内での導光体の取付け位置を自在に変更することが可能となる。
【００１０】
また、前記係合爪は、前記収容溝を構成する側壁の一部に立設され、前記収容溝側に向けて膨出した形状を有していることが好ましい。
【００１１】
このように、収容溝の側壁の一部に係合爪が立設され、収容溝側に向けて膨出した形状であるため、収容溝内に収容された導光体が収容溝から脱落しようとしても係合爪の膨出した部分に当たり、脱落が阻止される。このため、収容溝から導光体が脱落しにくい構造となっている。したがって、収容溝から導光体が脱落することによる照明の不具合や見栄えの悪さがほとんどなく、良好な外観を継続して維持することが可能となる。
【００１２】
また、前記係合爪は、前記導光体と前記間隙との間を遮蔽しない位置に配設されていることが好ましい。
【００１３】
このように、導光体と間隙との間を係合爪が遮蔽しないため、導光体から間隙に向けて出射する光が係合爪により遮断されない。このため、導光体からの光が係合爪に遮断されることによる光量の減少がほとんどなく、導光体からの光を効率的に間隙から出射させることが可能となる。
【００１４】
また、前記係合爪は、前記収容溝の長手方向に沿った複数箇所に設けられていることが好ましい。
【００１５】
このように、収容溝の長手方向に沿って係合爪が複数設けられているため、長尺状の導光体を複数の異なる位置で係合保持することが可能となる。したがって、導光体が収容溝から脱落しにくくなり、導光体を安定して収容保持することが可能となる。
【００１６】
さらに、前記収容溝には、前記ベーストリムのうち前記表面とは反対側から前記係合爪を視認可能な開口が形成されていると好適である。
このように、ベーストリムの表面とは反対側（すなわち、裏面側）から係合爪を視認可能な開口が収容溝に形成されているため、開口を通じて導光体の位置を確認しながら収容溝へ収容する作業を行うことができる。したがって、導光体の取付け作業を簡単にすることができる。
また、導光体を収容溝内に収容した後も、導光体が収容溝内の正確な位置に収容されているか否か、係合爪が導光体と係合しているか否かを、開口を通じて確認することができる。したがって、導光体が収容溝にきちんと収容されていない不良品を発見して、高品質の車両用ライニングのみを提供することが可能となる。
【００１７】
また、前記パネルトリムのうち前記側端は、その水平位置が前記導光体の上端面の高さ位置よりも上方にあることが好ましい。
【００１８】
このように、パネルトリムの側端の水平位置が導光体の上端面の高さ位置よりも上方にあるため、パネルトリムを正面から見ても導光体を視認しにくいようになっている。このため、導光体が外部に露出することによる見栄えの悪さが少なく、外観を良好とすることができる。
【００１９】
また、前記パネルトリムのうち前記側端は、前記ベーストリムの前記表面側に向けて屈曲していることが好ましい。
【００２０】
このように、パネルトリムの側端がベーストリムの表面側に向けて屈曲しているため、パネルトリムの斜め上方向から間隙を覗いても、屈曲部により導光体が遮蔽され外部から見えづらくなっている。このため、導光体が外部に露出することによる見栄えの悪さが少なく、外観を良好とすることができる。
【００２１】
また、前記車両用ライニングは、車両用ドアの車室側に設けられる車両用ドアライニングであることが好ましい。
このように、車両用ライニングを車両用ドアライニングとすることで、車両用ドアの車室側を照明することが可能となる。これにより、夜間等に乗員がドアや各種操作スイッチなどを視認することを容易にしたり、車両用ドアライニングの装飾効果を高めたりすることができる。
【発明の効果】
【００２２】
本発明の車両用ライニングによれば、導光体をベーストリムに直接取り付けることが可能であるため、導光体を固定するための特別な固定用部品が不要となり、車両用ライニングの製造に要するコストを低減させることが可能となるとともに、省スペース化を図ることが可能となる。
また、ベーストリムとパネルトリムのうちベーストリム側のみに導光体を取り付ける構造となっているため、ベーストリムとパネルトリムの位置ずれ等が生じても導光体の脱落や外部への露出等が生じにくく、導光体を安定的に取り付けることが可能となる。
さらに、収容溝内に導光体を入れ込んでスライド移動可能となっているため、取付け位置を自在に変更することが可能となり、導光体の位置出しを確実に行うことが可能となる。
【発明を実施するための最良の形態】
【００２３】
以下、本発明の一実施の形態を図面に基づいて説明する。なお、以下に説明する部材，配置等は本発明を限定するものでなく、本発明の趣旨の範囲内で種々改変することができるものである。
【００２４】
図１〜図７は本発明の一実施形態に係るものであり、図１は車両用ドアライニングの外観図、図２は図１の配光部を拡大して示す詳細説明図、図３はＬＥＤユニット及び導光体の構造図、図４はＬＥＤユニットの固定部裏面視を示す斜視図、図５は図２のＡ−Ａ線断面図、図６は図２のＢ−Ｂ線断面図、図７は図２のＣ−Ｃ線断面図である。
【００２５】
車両用ドアライニング１は、本発明の車両用ライニングに該当する。車両用ドアライニング１は、自動車ドアの内側を内装する部材であり、ドアインナパネルに取り付けられて車両用ドアの内装を構成するものである。図１に示すように、本実施形態の車両用ドアライニング１は、ベーストリム２と、ベーストリム２の上面の一部を被覆するパネルトリム３と、ＬＥＤユニット１１及び導光体１２からなる加飾照明装置（図２参照）と、を主要な構成要素として備えている。なお、この図の手前側が車室側となる。
【００２６】
ベーストリム２は、図示しないドアパネルの上面を被覆し、車両用ドアライニング１の意匠面の一部を形成する部材である。本実施形態のベーストリム２は、車両用ドアライニング１の側面の上部側の意匠面を構成している。ベーストリム２は、ポリプロピレン（ＰＰ）等の硬質の樹脂により板状に形成されているが、これに限定されず、金属等の他の材料であってもよい。
【００２７】
パネルトリム３は、ベーストリム２の表面の一部を被覆し、車両用ドアライニング１の意匠面の一部を形成する部材である。パネルトリム３は、ベーストリム２と同様に、ポリプロピレン等の硬質の樹脂で形成された板状部材であり、その表面に所定の凹凸を有する意匠面が形成されている。本実施形態のパネルトリム３は、車両用ドアライニング１の側面の中部から下部側全般の意匠面を構成している。
なお、ベーストリム２やパネルトリム３の意匠面側を表面、反対側を裏面と呼ぶ。
【００２８】
なお、ベーストリム２やパネルトリム３の表面には、意匠性の向上や摩損等からの保護を目的として、布、合成皮革、本革等からなる表皮材が貼着されてもよい。
また、ベーストリム２やパネルトリム３は、いずれも樹脂製形等により単一の部材として形成してもよく、あるいは複数の成形品を連結して製造してもよい。
【００２９】
ベーストリム２の表面とパネルトリム３の上部側の側端３ａとの間には間隙Ｎ（図２参照）が設けられており、この間隙Ｎから車両内部に向けて加飾照明装置からの光を配光する配光部Ｌが形成されている。配光部Ｌや加飾照明装置については、後に詳細に説明する。
【００３０】
パネルトリム３の中央部後方側（図１の右側）には、ドアアームレスト４が固定されている。ドアアームレスト４の中央寄りの側部にはプルハンドル５が設けられており、更にその側部にはパワーウィンドウの昇降等を行うためのスイッチ群が設けられたスイッチパネル６が設けられている。また、パネルトリム３の下部前方寄りには、円形のスピーカ７が配設されている。
【００３１】
図２は、図１の配光部Ｌの周辺を拡大して示した詳細説明図である。この図では、発明の理解を容易にするために、ベーストリム２やパネルトリム３の裏面側に設けられて本来は視認できない各種部材を点線で示している。
【００３２】
この図に示すように、ベーストリム２とパネルトリム３の裏面側には、光源としてのＬＥＤユニット１１が配設されている。このＬＥＤユニット１１には、長尺状の導光体１２が接続されており、ＬＥＤユニット１１からの光を導通して周囲に配光可能となっている。ＬＥＤユニット１１と導光体１２は、加飾照明装置を構成する。ベーストリム２とパネルトリム３との間には間隙Ｎが形成され、導光体１２は間隙Ｎに沿って設けられた４つの係合爪２２に係合している。
【００３３】
図３は、ＬＥＤユニット１１と導光体１２を分離して示した図である。この図に示すように、ＬＥＤユニット１１は、内部に複数のＬＥＤが配設された角柱状をしており、導光体１２を接続するための円筒状の接続端が側面に備けられている。ＬＥＤは、配線を介して図示しないバッテリに接続されており、このバッテリからの電力の供給を受けて所定の光を発する素子である。ＬＥＤからの光は、接続端から導光体１２に向けて出射される。
なお、光源としては、上述のＬＥＤに限定されず、例えば白熱電球、蛍光管、ハロゲンランプ、半導体レーザ、ガスレーザ等であってもよい。
ＬＥＤユニット１１の頂端面には止着片が突出しており、この止着片にねじ穴１１ａが形成されている。
【００３４】
導光体１２は、可撓性を有する長尺状の部材で構成され、ＬＥＤユニット１１からの光を伝送するための光伝送手段である。本実施形態では、導光体１２として光ファイバを用いている。導光体１２を構成する光ファイバは、透明材料で形成されたコアと、このコアよりも低屈折率材料で形成されたクラッドから構成され、クラッドとコアの間に微細な凹凸が無数に形成された構造をしている。このため、コア内を通過した光の一部は凹凸により散乱されてクラッドの壁面を透過し、導光体１２の外周面から外部に出射する。このため、導光体１２は、ＬＥＤユニット１１からの光を外周面の全面から外側に向けて配光し、周囲を照明することが可能となっている。
【００３５】
図４は、図２のＬＥＤユニット１１をベーストリム２の裏面側から見た状態を示している。この図に示すように、ベーストリム２の端部側には、断面Ｕ字形の収容溝２１が形成されている。この収容溝２１を構成する底面のうち複数箇所には、収容溝２１の底面に対して垂直方向に起立し、先端部が膨出した係合爪２２が形成されている。係合爪２２が形成される領域近傍の収容溝２１の底面には、方形に切り欠かれた開口２ｂが形成されている。
また、図５にも示すように、ベーストリム２の側端部は、垂直方向に屈曲している。
【００３６】
収容溝２１のうち一端側は開放端となっており、ＬＥＤユニット１１が配設されている。ベーストリム２のうち収容溝２１の開放端側の側端部寄りには螺合突起２３が立設され、この螺合突起２３にはねじ穴（不図示）が形成されている。ベーストリム２のうち収容溝２１の開放端側の中央部寄りには板面に対して垂直に一対の係合片２４，２４が突設されている。係合片２４は、対向する係合片２４に向けて先端側が膨出した形状をしている。この膨出部は、先端側から基端部側に向けて肉厚となっている。
【００３７】
次に、ＬＥＤユニット１１と導光体１２のベーストリム２への組付け手順について説明する。まずベーストリム２を裏にして、ＬＥＤユニット１１のねじ穴１１ａをベーストリム２の螺合突起２３のねじ穴に位置合わせし、ＬＥＤユニット１１と螺合突起２３の両方のねじ穴に止着ねじ２７を螺着する。これにより、ＬＥＤユニット１１はベーストリム２の裏面に固定される。次に、ベーストリム２を表にして、導光体１２の端部をＬＥＤユニット１１の接続端に挿入する。続いて、導光体１２を収容溝２１内に嵌め込む。
【００３８】
図６のように、ベーストリム２には、その裏面側に向けて凹んだ断面略Ｕ字形の収容溝２１が形成され、導光体１２は収容溝２１の内部に収容されている。パネルトリム３の側端３ａは、ベーストリム２に向けて緩やかに屈曲し、その先端の水平位置は導光体１２の上部外周面よりも上になっている。反対に、ベーストリム２は、外側に向けて隆起した形状をしている。そして、パネルトリム３の側端３ａとベーストリム２の上面との間には斜め上方に向けて開口した間隙Ｎが形成されている。
【００３９】
このように、パネルトリム３の側端３ａの水平位置が導光体１２の上部外周面よりも上にあるため、パネルトリム３を正面から見ても収容溝２１内に収容された導光体１２が視認しにくくなっている。このため、導光体１２が外部に露出することによる粗雑感などがなく、見た目が良好となっている。
また、パネルトリム３の側端３ａがベーストリム２に向けて屈曲しているため、車両用ドアライニング１の斜め上方から間隙Ｎを覗いても、この屈曲した側端３ａにより導光体１２が遮蔽されて、導光体１２を視認することが困難となっている。
このように、導光体１２が外部から直接視認しにくいため、導光体１２が外部に露出することによる見栄えの悪さがほとんどなく、車両用ドアライニング１を良好な外観を有するものとすることができる。
【００４０】
なお、パネルトリム３の裏面には突起３ｂが設けられており、ベーストリム２にはこの突起に対応する位置に挿通孔２ａが形成されている。ベーストリム２の挿通孔２ａにはパネルトリム３の突起３ｂが挿通され、抜け止め不能となっている。これにより、パネルトリム３はベーストリム２に固定されている。
【００４１】
図７のように、係合爪２２が設けられた領域では、収容溝２１のうち間隙Ｎと反対側の側壁が垂直方向に起立し、その側面が収容溝２１方向へ向けて膨出した係合爪２２が設けられている。導光体１２は、収容溝２１に収容されるとともに、外周面の一部に係合爪２２が係合し、収容溝２１の外に脱落しないようになっている。この係合爪２２は、開口２ｂを通じてベーストリム２の裏面側から視認可能となっている。
【００４２】
このように、係合爪２２が、収容溝２１と間隙Ｎとの間を遮蔽しない位置に設けられているため、導光体１２から間隙Ｎに向かう光が係合爪２２により遮断されない。このため、導光体１２の光量減少がほとんどなく、導光体１２からの光を効率的に間隙Ｎから出射させることが可能となる。
【００４３】
さらに、係合爪２２が開口２ｂを通じてベーストリム２の裏面側から視認可能であるため、この開口２ｂを通じて導光体１２の位置を確認しながら収容溝２１へ収容する作業を行うことができる。また、収容後においても、導光体１２が正確な位置に収容されているかどうかや、係合爪２２が導光体１２と係合しているかどうかを開口２ｂを通じて確認することができる。
【００４４】
また、係合爪２２の膨出部は、下側（収容溝２１側）へ向かうにつれて肉薄となっている。このため、収容溝２１から導光体１２を取り出す際に係合爪２２の膨出部が引っ掛かりにくく、容易に取り出すことが可能となっている。したがって、車両用ドアライニング１の解体作業等を容易に行うことができる。
【００４５】
このように、ベーストリム２の裏面側から係合爪２２を視認可能であるため、開口２ｂを通じて導光体１２の位置を確認しながら収容溝２１へ収容作業を行うことができる。また、導光体１２と係合爪２２がきちんと係合しているか否かも確認することが可能となる。
【００４６】
以上では、本発明の車両用ライニングの一例として車両用ドアの車室側に設けられる車両用ドアライニングについて説明したが、車両用ライニングとしてはこのような車両用ドアライニングに限定されず、他の部分に設けられる内装材とすることもできる。このような車両用ライニングとしては、例えば、運転席や助手席の下部側面に取り付けられるサイドライニングや、車両の左右側部に取り付けられルーフを支持するルーフピラーなどが挙げられる。
【図面の簡単な説明】
【００４７】
【図１】車両用ドアライニングの外観図である。
【図２】図１の配光部を拡大して示す詳細説明図である。
【図３】ＬＥＤユニット及び導光体の構造図である。
【図４】ＬＥＤユニットの固定部裏面視を示す斜視図である。
【図５】図２のＡ−Ａ線断面図である。
【図６】図２のＢ−Ｂ線断面図である。
【図７】図２のＣ−Ｃ線断面図である。
【符号の説明】
【００４８】
１  車両用ドアライニング（車両用ライニング）
２  ベーストリム
２ａ  挿通孔
２ｂ  開口
３  パネルトリム
３ａ  側端
３ｂ  突起
４  ドアアームレスト
５  プルハンドル
６  スイッチパネル
７  スピーカ
１１  ＬＥＤユニット（光源）
１１ａ  ねじ穴
１２  導光体
２１  収容溝
２２  係合爪
２３  螺合突起
２４  係合片
２７  止着ねじ
Ｌ  配光部
Ｎ  間隙
【図１】
2008143425.tif 000003
【図２】
2008143425.tif 000004
【図３】
2008143425.tif 000005
【図４】
2008143425.tif 000006
【図５】
2008143425.tif 000007
【図６】
2008143425.tif 000008
【図７】
2008143425.tif 000009